(57)【特許請求の範囲】
【請求項１】
１つのピクセルに複数のゲート信号が入力される有機発光ダイオード表示装置であって、
複数のゲート信号で構成されるゲートラインとデータラインとの交差によって形成されるそれぞれのピクセルに、有機発光ダイオードと複数のトランジスタが形成されているパネルと、
前記データラインと連結されたデータ駆動部を制御するためのタイミングコントローラーと、
前記それぞれのゲートラインを通じて前記複数のトランジスタに複数のゲート信号を出力し、１つのピクセルに入力される前記複数のゲート信号が、少なくとも前記タイミングコントローラーから転送されてきたゲートシフトクロックの１/２周期分の時間間隔を有して、前記トランジスタに入力されるようにするゲート駆動部と、を含み、
前記ゲート駆動部は、複数の薄膜トランジスタで構成されるステージを含み、
前記それぞれのステージは、
前記ゲートシフトクロックを反転させるためのインバーターユニットと、
前記インバーターユニットから出力される反転信号、前記ゲートシフトクロック、選択信号ＳＥＬとＤＦＦのデータとして入力される入力信号（ＧＳＰ、ＡＳＰ、ＢＳＰ、ＣＳＰ）の入力を受けて、前記選択信号ＳＥＬのレベルに応じて、前記ゲートシフトクロックまたは前記反転信号をゲート信号の生成クロックとして選択し、前記ゲートシフトクロックの立ち上がり時点または立ち下り時点でゲート信号を出力するための複数の選択部と、
を含み、
前記それぞれの選択部は、前記ゲートシフトクロックと、前記反転信号と、前記選択信号ＳＥＬと、前記入力信号（ＧＳＰ、ＡＳＰ、ＢＳＰ、ＣＳＰ）の入力を受けて、
前記選択信号ＳＥＬがハイレベルＨである場合には、前記入力信号（ＧＳＰ、ＡＳＰ、ＢＳＰ、ＣＳＰ）を前記ゲートシフトクロックの立ち上がり時点に同期してゲート信号として出力し、
前記選択信号ＳＥＬがローレベルＬである場合には、前記入力信号（ＧＳＰ、ＡＳＰ、ＢＳＰ、ＣＳＰ）を前記ゲートシフトクロックの立ち下り時点に同期してゲート信号を出力することを特徴とする、有機発光ダイオード表示装置。
【請求項２】
前記トランジスタは、少なくとも２つ以上の前記ゲート信号の入力を受けるため、前記１つのピクセルに少なくとも ２つ以上形成されていることを特徴とする、請求項１に記載の有機発光ダイオード表示装置。
【請求項３】
前記選択部のうち、
第１の選択部は、前記トランジスタのうち、第１のトランジスタＴ１と連結されており、ハイレベルＨの第１の選択信号ＳＥＬ１の入力を受けて、第１の入力信号を前記ゲートシフトクロックの立ち上がり時点で同期して第１のゲート信号Ｘ１として前記第１のトランジスタに出力し、
第４の選択部は、前記トランジスタのうち、第４のトランジスタＴ４と連結されており、ハイレベルＨの第４の選択信号ＳＥＬ４の入力を受けて、第４の入力信号を前記ゲートシフトクロックの立ち上がり時点で同期して第４のゲート信号Ｘ４として前記第４のトランジスタに出力し、
第２の選択部は、前記トランジスタのうち、第２のトランジスタＴ２と連結されており、ローレベルＬの第２の選択信号ＳＥＬ２の入力を受けて、第２の入力信号を前記ゲートシフトクロックの立ち下り時点で同期して第２のゲート信号Ｘ２として前記第２のトランジスタに出力し、
第３の選択部は、前記トランジスタのうち、第３のトランジスタＴ３と連結されており、ローレベルＬの第３の選択信号ＳＥＬ３の入力を受けて、第３の入力信号を前記ゲートシフトクロックの立ち下り時点で同期して第３のゲート信号Ｘ３として前記第３のトランジスタに出力することを特徴とする、請求項１に記載の有機発光ダイオード表示装置。
【請求項４】
前記複数の選択部のそれぞれは、
前記選択信号と、前記ゲートシフトクロックと、前記反転信号の入力を受けて、前記選択信号に応じて前記ゲートシフトクロックまたは前記反転信号のうち、何れか１つの信号を出力するための選択器と、
前記入力信号（ＧＳＰ、ＡＳＰ、ＢＳＰ、ＣＳＰ）を前記選択器から出力された信号に同期して出力させるための出力器と、
前記出力器から出力された信号を増幅させて前記ゲート信号として出力するための増幅器と、
を含む請求項１に記載の有機発光ダイオード表示装置。
【請求項５】
前記ゲートシフトクロックを反転させた反転信号を生成する段階と、
前記反転信号、前記ゲートシフトクロック、選択信号ＳＥＬと入力信号（ＧＳＰ、ＡＳＰ、ＢＳＰ、ＣＳＰ）の入力を受け、前記選択信号ＳＥＬのレベルに応じて、前記ゲートシフトクロックの立ち上がり時点または立ち下り時点で、パネルのピクセルに形成された複数のトランジスタのうち、少なくとも何れか１つに前記ゲート信号を出力する段階と、
既に設定された時間間隔を有する他のゲート信号を前記ゲート信号から生成し、前記ピクセルに形成された複数のトランジスタのうち、前記ゲート信号が入力されなかった他のトランジスタに前記他のゲート信号を出力する段階と、
を含む請求項１〜４の何れか１つの請求項に記載の有機発光ダイオード表示装置の駆動方法。
【請求項６】
前記他のゲート信号は、
前記ゲート信号と、少なくとも前記ゲートシフトクロックの１/２周期分の時間間隔を有することを特徴とする、請求項５に記載の有機発光ダイオード表示装置の駆動方法。
【発明の詳細な説明】
【技術分野】
【０００１】
本発明は、有機発光ダイオード表示装置に関し、特に、各ピクセルに３つ以上のトランジスタが備えられている有機発光ダイオード表示装置及びその駆動方法に関する。
【背景技術】
【０００２】
最近、広く利用されている平板表示装置(Ｆｌａｔ  Ｐａｎｅｌ  Ｄｉｓｐｌａｙ:ＦＰＤ)には、液晶表示装置（Ｌｉｑｕｉｄ  Ｃｒｙｓｔａｌ  Ｄｉｓｐｌａｙ：ＬＣＤ）、電界放出表示装置（Ｆｉｅｌｄ  Ｅｍｉｓｓｉｏｎ  Ｄｉｓｐｌａｙ：ＦＥＤ）、プラズマディスプレイパネル（Ｐｌａｓｍａ  Ｄｉｓｐｌａｙ  Ｐａｎｅｌ：ＰＤＰ）、及び電界発光素子(Ｅｌｅｃｔｒｏｌｕｍｉｎｅｓｃｅｎｃｅ Ｄｅｖｉｃｅ)などがある。
【０００３】
ＰＤＰは、その構造と製造工程が単純であるため、軽薄短小であると共に、大画面化に最も有利な表示装置として注目を受けているが、発光効率と輝度が低く、消費電力が大きいという短所がある。スイッチング素子として、薄膜トランジスタ(Ｔｈｉｎ  Ｆｉｌｍ  Ｔｒａｎｓｉｓｔｏｒ:ＴＦＴ)が適用されたＴＦＴ  ＬＣＤは最も広く使われている平板表示素子であるが、非発光素子であるため、視野角が狭く、回答速度が遅いという短所がある。
【０００４】
これに対し、電界発光素子は、発光層の材料によって、無機発光ダイオード表示装置と有機発光ダイオード表示装置とに大別され、特に、有機発光ダイオード表示装置は、自ら発光する自発光素子を用いることで、回答速度が速く、発光効率、輝度、及び視野角が大きいという利点を有している。
【０００５】
図１は、従来の有機発光ダイオード表示装置の１つのピクセル構造を示す回路図であって、２つのＮ型トランジスタで構成されているピクセル構造を示す。
図２は、従来の有機発光ダイオード表示装置に適用される多様な波形を示す例示図であって、特に、１つのピクセルに４つのゲート信号が要求される有機発光ダイオード表示装置に適用される波形を示す。
【０００６】
従来の有機発光ダイオード表示装置のピクセル５０は、図１に示すように、有機発光ダイオードＯＬＥＤ、及びデータラインＤＬとゲートラインＧｎに接続され、有機発光ダイオードＯＬＥＤを制御するための少なくても２つ以上のトランジスタＴ１、Ｔ２によって構成される。
【０００７】
有機発光ダイオードＯＬＥＤのアノード電極は第１の電源ＶＤＤに接続され、カソード電極は第２の電源ＶＳＳに接続される。このような有機発光ダイオードＯＬＥＤは、第２のトランジスタＴ２から供給される電流に対応して所定輝度の光を生成する。
【０００８】
ピクセル５０に形成されている各種回路は、ゲートラインＧｎにスキャン信号が供給される際に、データラインＤＬに供給される映像信号に対応して、有機発光ダイオードに供給される電流量を制御する。このため、ピクセル５０には、第１の電源ＶＤＤと有機発光ダイオードとの間に接続された第２のトランジスタＴ２(駆動トランジスタ)、第２のトランジスタＴ２とデータラインＤＬ及びゲートラインＧｎとの間に接続された第１のトランジスタＴ１(スイッチングトランジスタ)、及び第２のトランジスタＴ２のゲート電極と有機発光ダイオードＯＬＥＤとの間に接続されたストレージキャパシタＣｓｔを備える。
【０００９】
一方、図１に示すような有機発光ダイオード表示装置の場合、ゲート信号として１つのゲート信号(スキャン信号)のみが入力され得るが、有機発光ダイオード表示装置は一般的に２つ以上のゲート信号が用いられる。
【００１０】
すなわち、上記のような有機発光ダイオード表示装置の各ピクセル５０は、スイッチングトランジスタＴ１と駆動トランジスタＴ２のみならず、輝度バラ付き、すなわち、輝度のむらを無くすため、補償回路も必要である。よって、このような補償回路に適用される複数のトランジスタを制御するため、複数のゲート信号が要求される。このようなゲート信号には、データラインを通じて転送されてきた映像信号(データ電圧)をピクセルに供給するスイッチングトランジスタを制御するためのスキャン信号以外にも、エミッショントランジスタを制御するためのエミッション信号のような多様な種類の信号が含まれる。
【００１１】
従って、従来の有機発光ダイオード表示装置は、１つのピクセルに３つ以上のトランジスタで構成することができ、４つのトランジスタで構成することも、それ以上の数のトランジスタを用いることもできる。
【００１２】
すなわち、液晶表示装置では、１つのピクセルに１つのゲート信号(スキャン信号)のみが転送されるが、有機発光ダイオード表示装置では、１つのピクセルが正常に駆動されるためには、スキャン信号を含む少なくとも２つ以上のゲート信号が転送される必要がある。
【００１３】
特に、１つのピクセルに４つのゲート信号が入力される有機発光ダイオード表示装置のゲート駆動部の場合、図２に示すように、ゲート出力イネーブル信号ＧＯＥはローレベルＬに固定され、一クロック(ゲートシフトクロックＧＳＣ)で各ゲート信号が同期化されて、それにより、クロックの立ち上がり時に４つのゲート信号それぞれが出力される。
【００１４】
しかし、従来の有機発光ダイオード表示装置は、ゲートシフトクロックＧＳＣの立ち上がり時点でゲート信号を出力するか、または立ち下り時点で出力するか、選択肢が特に無かったため、１つのピクセル内で隣接するトランジスタはクロックＣＬＫの１周期の単位で動作していた。
すなわち、図２に示すように、ゲートシフトクロックＧＳＣの立ち上がり時点から次回の立ち上がり時点までを１周期とする場合、従来の有機発光ダイオード表示装置では、第１のトランジスタに入力される第１のゲート信号Ｘ１、及び第４のトランジスタに入力される第４のゲート信号Ｘ４がゲートシフトクロックの立ち上がり時点でピクセルに出力され、第２のトランジスタに入力される第２のゲート信号Ｘ２、及び第３のトランジスタに入力される第３のゲート信号Ｘ３は、ゲートシフトクロックの次の立ち上がり時点でピクセルに出力される。
【００１５】
すなわち、それぞれのゲート信号は、ゲートシフトクロックの１周期(１クロック)分の間隔を有してピクセルに入力される。
【００１６】
上記のように、従来の有機発光ダイオード表示装置は、１つのピクセルに入力されるゲート信号がゲートシフトクロックの１周期分の間隔を有してピクセルに入力されていたため、１つのピクセルに形成されているトランジスタを全部駆動するための時間が長くなり、これによって全体的に映像が出力される時間が遅延する問題があった。
【発明の概要】
【発明が解決しようとする課題】
【００１７】
本発明は、上述した問題点を解決するためのものであって、互いに隣接しているトランジスタに入力されるゲート信号が、少なくともゲートシフトクロックの１/２周期に相当する間隔を有して１つのピクセルに入力される、有機発光ダイオード表示装置及びその駆動方法を提供することを技術的課題としている。
【課題を解決するための手段】
【００１８】
上述した技術的課題を達成するための本発明による有機発光ダイオード表示装置は、ゲートラインとデータラインとの交差によって形成されるそれぞれのピクセルに、有機発光ダイオードと複数のトランジスタが形成されているパネルと、前記データラインと連結されたデータ駆動部を制御するためのタイミングコントローラーと、前記それぞれのゲートラインを通じて前記複数のトランジスタに複数のゲート信号を出力し、前記複数のゲート信号が、少なくとも前記タイミングコントローラーから転送されてきたゲートシフトクロックの１/２周期分の時間間隔を有して前記トランジスタに入力されるようにするゲート駆動部と、を含む。
【００１９】
上述した技術的課題を達成するための本発明による有機発光ダイオード表示装置駆動方法は、前記有機発光ダイオード表示装置で、前記ゲートシフトクロックを反転させる段階と、前記反転された反転信号、前記ゲートシフトクロック、選択信号ＳＥＬと入力信号の入力を受け、前記選択信号のレベルに応じて、前記クロックの立ち上がり時点または立ち下り時点でゲート信号を出力し、パネルのピクセルに形成された複数のトランジスタのうち、少なくとも何れか１つに前記ゲート信号を出力する段階と、前記ゲート信号から、既に設定された時間間隔を有する他のゲート信号を生成し、前記ピクセルに形成された複数のトランジスタのうち、前記ゲート信号が入力されなかった他のトランジスタに前記他のゲート信号を出力する段階と、を含む。
【発明の効果】
【００２０】
本発明は、互いに隣接しているトランジスタに入力されるゲート信号が、少なくともゲートシフトクロックの１/２周期に相当する間隔を有して１つのピクセルに入力されるようにすることで、各ピクセルでの映像の出力時点を繰り上げることができ、これによって画質改善の効果を提供する。
【図面の簡単な説明】
【００２１】
【図１】従来の有機発光ダイオード表示装置の１つのピクセル構造を示す回路図である。
【図２】従来の有機発光ダイオード表示装置に適用される多様な波形を示す例示図である。
【図３】本発明による有機発光ダイオード表示装置の一実施例の構成図である。
【図４】本発明による有機発光ダイオード表示装置に適用されるピクセルの一実施例の構成図である。
【図５】本発明の第１の実施例による有機発光ダイオード表示装置に適用されるゲート駆動部の内部構成を概略的に示す例示図である。
【図６】本発明の第１の実施例による有機発光ダイオード表示装置に適用されるステージの内部構成を示す例示図である。
【図７】本発明の第１の実施例による有機発光ダイオード表示装置に適用される多様な波形を示す例示図である。
【図８】本発明の第２の実施例による有機発光ダイオード表示装置に適用されるステージの内部構成を示す例示図である。
【図９】本発明の第２の実施例による有機発光ダイオード表示装置に適用される多様な波形を示す例示図である。
【図１０】本発明の第３の実施例による有機発光ダイオード表示装置に適用される多様な波形を示す例示図である。
【発明を実施するための形態】
【００２２】
以下、添付の図面を参照しながら、本発明の実施例について詳細に説明する。
【００２３】
図３は、本発明による有機発光ダイオード表示装置の一実施例の構成図である。図４は、本発明による有機発光ダイオード表示装置に適用されるピクセルの一実施例の構成図である。
【００２４】
本発明による有機発光ダイオード表示装置及びその駆動方法は、１つのピクセルに形成されているトランジスタに入力される複数のゲート信号が、少なくともゲートシフトクロックＧＳＣの１/２周期分の時間間隔を有してトランジスタに入力されるようにする特徴を有している。
【００２５】
すなわち、液晶表示装置ＬＣＤでは、ゲートシフトクロックの１周期の間に１つのゲート信号(スキャン信号)のみが入力されるが、有機発光ダイオード表示装置の場合には、後述するように、１つのピクセルを駆動するために複数のトランジスタが形成されているため、このようなトランジスタを駆動するための複数のゲート信号(スキャン信号及びエミッション信号などを含む)が入力される必要がある。
【００２６】
従来は、このような複数のゲート信号がゲートシフトクロックの立ち上がり時点のみにピクセルに入力されたため、ゲート信号がパネルに出力される時間間隔は少なくともゲートシフトクロックの１周期に相当していた。
【００２７】
しかし、本発明は、複数のゲート信号をピクセルに出力すると共に、ゲート信号が少なくともゲートシフトクロックの１/２周期に相当する時間間隔を有するようにすることで、トランジスタの駆動時間を速くし、映像の出力画質を改善する特徴を有している。すなわち、少なくとも一つのゲート信号は、前記ゲートシフトクロックの１/２周期分の間隔を有して前記ピクセルのトランジスタに出力される。
【００２８】
以下では、パネルに形成された各ピクセルに２つのゲート信号が入力されるように構成されている有機発光ダイオード表示装置と、４つのゲート信号が入力されるように構成されている有機発光ダイオード表示装置が本発明の一例として説明される。すなわち、本発明は、パネルに形成された各ピクセルに２つ以上のゲート信号が入力される全ての場合に適用され得るが、説明の便宜上、 ２つまたは４つのゲート信号が入力される有機発光ダイオード表示装置が本発明の一例として説明される。
【００２９】
このため、本発明による有機発光ダイオード表示装置は、図３に示すように、ゲート駆動部２００とデータ駆動部３００の駆動を制御するためのゲート制御信号ＧＣＳとデータ制御信号ＤＣＳとを出力すると共に、デジタルビデオデータＲＧＢをサンプリングした後に再整列して出力するタイミングコントローラー４００、ゲート制御信号に応答してパネル１００の各ゲートラインＧＬ１〜ＧＬｎにスキャン信号を供給するゲート駆動部２００、データ制御信号に応答してパネルの各データラインＤＬ１〜ＤＬｍにアナログのデータ電圧(以下、単に「映像信号」と称する。)を供給するデータ駆動部３００、及びスキャン信号と映像信号に応じて駆動されるピクセルがマトリックス状に具備され画像を表示するパネル１００を含んで構成される。その他にも、有機発光ダイオード表示装置には、前記構成要素に必要な電源を供給するための電源供給部(図示せず)が含まれている。
【００３０】
まず、タイミングコントローラー４００は、システム(図示せず)から供給される垂直／水平同期信号Ｖ、Ｈとクロック信号ＣＬＫを用いてゲート駆動部２００を制御するためのゲート制御信号ＧＣＳと、データ駆動部３００を制御するためのデータ制御信号ＤＣＳと、を出力する。また、タイミングコントローラーは、前記システムから入力される入力映像データをサンプリングした後に再整列し、この再整列されたデジタル映像データをデータ駆動部３００に供給する。
【００３１】
すなわち、タイミングコントローラー４００は、システムから供給された入力映像データを再整列し、この再整列されたデジタル映像データをデータ駆動部３００に転送し、システムから供給されたクロック信号ＣＬＫと、水平同期信号Ｈｓｙｎｃと、垂直同期信号Ｖｓｙｎｃ(前記信号は、単に「タイミング信号」と称する。)、及びデータイネーブル信号ＤＥを用いて、ゲート制御信号ＧＣＳとデータ制御信号ＤＣＳを生成し、ゲート駆動部２００及びデータ駆動部３００に転送する。
【００３２】
上記のような機能を遂行するために、タイミングコントローラー４００は、システムから上記のような各種信号を受信する受信部(図示せず)、受信部から受信された信号のうち、入力映像データを再整列し、この再整列された映像データを出力する映像データ処理部(図示せず)、受信部から受信された信号を用いてゲート駆動部とデータ駆動部を制御するための各種制御信号を生成するための制御信号生成部(図示せず)を含んで構成することができる。
【００３３】
タイミングコントローラー４００から生成されてゲート駆動部２００に転送されるゲート制御信号ＧＣＳには、ゲートシフトクロックＧＳＣ、ゲートスタートパルスＧＳＰなどが含まれる。
【００３４】
次に、ゲート駆動部２００は、タイミングコントローラー４００から入力されるゲート制御信号に応答して、パネルのゲートラインＧＬ１〜ＧＬｎにスキャン信号を順次供給する。これによって、スキャン信号が入力される水平ラインのそれぞれのピクセルに形成されている薄膜トランジスタＴＦＴがターンオンされ、各ピクセルに映像が出力されうる。
ゲート駆動部２００の構成及び機能は、図５ないし図１０を参照しながら詳細に説明する。
【００３５】
次に、データ駆動部３００は、タイミングコントローラー４００から入力されるデータ制御信号に応答して、デジタル映像データＲＧＢを階調値に対応するアナログの映像信号(データ電圧)に変換し、このように変換された映像信号をパネル１００上のデータラインＤＬ１〜ＤＬｍに供給する。
【００３６】
最後に、パネル１００は、複数のゲートラインＧＬとデータラインＤＬが交差する領域ごとにピクセルＰ１１０が形成されている。各ピクセルには、図４に示すように、電源端子ＶＤＤと有機発光ダイオードＯＬＥＤの間に直列接続され、有機発光ダイオードＯＬＥＤに駆動電流を供給するための第４のトランジスタＴ４及び第３のトランジスタＴ３、前記第４のトランジスタＴ４のソース端子とゲート端子の間に接続されたストレージキャパシターＣｓｔｇ、データラインＤＬと前記第４のトランジスタＴ４と第３のトランジスタＴ３の各ゲート端子との間にソース端子とドレーン端子が接続され、ゲート端子が第１のゲート信号ラインＳ１に接続された第１のトランジスタＴ１、及び前記データラインＤＬと前記第４のトランジスタＴ４と第３のトランジスタＴ３のドレーン、ソース端子の接続点の間にソース端子とドレーン端子がそれぞれ接続され、ゲート端子が第２のゲート信号ラインＳ２に接続された第２のトランジスタＴ２で構成することができる。この場合、１つのピクセルには２つのゲート信号Ｘ１、Ｘ２が入力される。
【００３７】
しかし、１つのピクセルで２つのゲート信号の入力を受けるためのトランジスタの連結構造は多様に変更され得る。
すなわち、本発明は、１つのピクセルに２つ以上のゲート信号を入力するためのゲート駆動部２００の構成に特徴があり、トランジスタの連結方法は多様に変更され得る。
上記のように、本発明は、３つ以上のゲート信号を１つのピクセルに入力する場合にも適用でき、この場合、トランジスタの構成は多様な形態に変更され得る。
また、図４では、Ｐ型トランジスタで構成されたピクセルが示されているが、ピクセルはＮ型トランジスタで構成することもできる。
【００３８】
図５は、本発明の第１の実施例による有機発光ダイオード表示装置に適用されるゲート駆動部２００の内部構成を概略的に示す例示図である。
図６は、本発明の第１の実施例による有機発光ダイオード表示装置に適用されるステージ２１０の内部構成を示す例示図である。
図７は、本発明の第１の実施例による有機発光ダイオード表示装置に適用される多様な波形を示す例示図であり、特に、２つのゲート信号を用いている有機発光ダイオード表示装置を示している。
【００３９】
まず、図５を参照しながらゲート駆動部２００について説明する。
【００４０】
本発明に適用されるゲート駆動部２００は、図５に示すように、複数の薄膜トランジスタＴＦＴで構成されるステージＳｔａｇｅ１ないしＳｔａｇｅ  ｎを備える。ステージは直列(ｃａｓｃａｄｅ)に接続されてゲート信号Ｘ１及びＸ２を順次発生する。
【００４１】
ステージＳｔａｇｅ１ないしＳｔａｇｅ  ｎのうち、第１のステージＳｔａｇｅ１は、タイミングコントローラーから転送されてきたゲートスタートパルスＧＳＰによって駆動され、タイミングコントローラーから転送されてきたゲートシフトクロックＧＳＣを各ステージに順次転送することで、各ステージがゲート信号を順次出力することができるようになる。
【００４２】
各ステージから出力されるゲート信号は、上記のように２つのゲート信号Ｘ１、Ｘ２で構成され、このようなゲート信号が入力されるゲート信号ラインＳ１、Ｓ２をゲートラインＧＬと通称する。
図３に示すように、ゲートラインがＧＬ１からＧＬｎまでｎ個備えられているため、ゲート駆動部２００はｎ個のステージ(Ｓｔａｇｅ１〜Ｓｔａｇｅ  ｎ)で構成されており、それぞれのステージから出力されるゲートラインＧＬは２つのゲート信号を各ピクセルに形成されたトランジスタに印加するための２つのゲート信号ラインで構成することができる。
【００４３】
次に、図６を参照しながら、それぞれのステージ２１０の内部構成について説明する。
【００４４】
それぞれのステージ２１０は、図６に示すように、入力されるクロックＣＬＫ・ＧＳＣを反転させるためのインバーターユニット２２０、前記インバーターユニットから出力される反転信号、前記クロックＣＬＫ、選択信号ＳＥＬと入力信号の入力を受け、前記選択信号のレベルに応じて、前記クロックの立ち上がり時点または立ち下り時点でゲート信号を出力するための複数の選択部を含む。
【００４５】
前記クロックＣＬＫは、前記タイミングコントローラー４００から転送されてきたゲートシフトクロックになり得る。以下では、単に「クロック」と称する。
【００４６】
前記インバーターユニット２２０は、前記クロックを反転させて前記複数の選択部２３０ａ及び２３０ｂの各々に転送する機能を遂行する。
【００４７】
前記選択部２３０ａ及び２３０ｂは、出力しようとするゲート信号の数だけ形成される。特に、パネルに形成される各ピクセルが、図４に示すように、２つのゲート信号を必要とする場合、選択部は、図６に示すように、２つ（２３０ａ、２３０ｂ）具備され得る。
【００４８】
前記選択部２３０ａ及び２３０ｂの各々は、前記クロックと、前記インバーターユニットから出力される反転信号と、前記選択信号と入力信号の入力を受け、前記選択信号ＳＥＬがハイレベルＨである場合は、前記入力信号を前記クロックの立ち上がり時点に同期してゲート信号で出力し、前記選択信号ＳＥＬがローレベルＬである場合は、前記入力信号を前記クロックの立ち下り時点に同期してゲート信号で出力する。
【００４９】
例えば、第１のトランジスタＴ１と連結されている第１の選択部２３０ａに入力される選択信号ＳＥＬ１がハイレベルＨである場合、第１の選択部２３０ａは、図７に示すように、第１の入力信号ＧＳＰを前記クロックの立ち上がり時点に同期して第１のスキャン信号Ｘ１として出力する。
【００５０】
また、第２のトランジスタＴ２と連結されている第２の選択部２３０ｂに入力される選択信号ＳＥＬ２がローレベルＬである場合、第２の選択部２３０ｂは、図７に示すように、第２の入力信号ＡＳＰを前記クロックの立ち下り時点に同期して第２のスキャン信号Ｘ２として出力する。
【００５１】
ここで、第１の選択信号ＳＥＬ１及び第２の選択信号ＳＥＬ２の値(ハイレベルまたはローレベル)は、本発明による有機発光ダイオード表示装置の製造者によって予め選択され、ゲート駆動部２００に格納することができる。
【００５２】
また、図７には、第１の入力信号ＧＳＰと第２の入力信号ＡＳＰが同一なもののように表示されているが、これらの２つの入力信号は互いに異なることもある。この場合、第１のゲート信号と第２のゲート信号は互いに異なる形態で出力することができる。しかし、この場合にも、第１のゲート信号と第２のゲート信号は少なくともゲートシフトクロックＧＳＣの１/２周期分の時間間隔を有して出力されうる。
【００５３】
すなわち、図６及び図７に示すように、第１の選択部２３０ａは、第１のトランジスタＴ１に転送されるゲート信号Ｘ１をゲートシフトクロックＧＳＣの立ち上がり時点に同期して出力させることができ、第２の選択部２３０ｂは、第２のトランジスタＴ２に転送されるスキャン信号Ｘ２をゲートシフトクロックＧＳＣの立ち下り時点に同期して出力させることができる。
【００５４】
従って、本発明は、１つのピクセルに形成されている複数のトランジスタに入力される２つのスキャン信号が、少なくともゲートシフトクロックＧＳＣの１/２周期分の時間間隔を有して出力されうる。
【００５５】
また、第２のステージＳｔａｇｅ２から出力される第３のゲート信号Ｘ３及び第４のゲート信号Ｘ４は、第２のステージＳｔａｇｅ２と連結されているゲートラインに対応するピクセルに形成された第１のトランジスタＴ１及び第２のトランジスタＴ２に入力されるゲート信号であって、図７に示すように、第１のステージを通じて出力される第１のゲート信号Ｘ１及び第２のゲート信号Ｘ２とともに、ゲートシフトクロックの１周期に相当する時間間隔を有してパネルに出力される。第３のステージＳｔａｇｅ３を通じて出力される第５のゲート信号Ｘ５及び第６のゲート信号Ｘ６も、ピクセルに形成された第１のトランジスタＴ１及び第２のトランジスタＴ２に入力されるゲート信号であって、第３のゲート信号及び第４のゲート信号とゲートシフトクロックの１周期に相当する時間間隔を有してパネルに出力される。
【００５６】
上記のような機能を遂行するため、それぞれの選択部２３０ａ、２３０ｂは、図６に示すように、前記選択信号ＳＥＬと前記クロックＧＳＣと前記反転信号の入力を受けて、前記選択信号に応じて前記クロックまたは前記反転信号のうち、何れか１つの信号を出力するための選択器、前記入力信号を前記選択器から出力された信号に同期して出力させるための出力器、及び前記出力器から出力された信号を増幅させて前記スキャン信号として出力するための増幅器を含んで構成され得る。
【００５７】
すなわち、選択器は選択信号ＳＥＬに応じて、前記クロックまたは前記クロックを反転させた反転信号を選択する。選択器によって、ゲート信号をクロックの立ち上がり時点で出力するか、それとも立ち下り時点で出力するかが選択できる。
【００５８】
また、出力器はＤフリップフロップＤＦＦで構成されることができ、上記のように、前記入力信号を前記選択器から出力された信号に同期して出力させることでゲート信号を生成する。
しかし、出力器から出力されるゲート信号は、パネルに印加するには小さな信号である可能性があり、この場合にはレベルシフタＬ/Ｓで構成される増幅器を通じてゲート信号を増幅して出力することができる。
【００５９】
図８は、本発明の第２の実施例による有機発光ダイオード表示装置に適用されるステージの内部構成を示す例示図である。
図９は、本発明の第２の実施例による有機発光ダイオード表示装置に適用される多様な波形を示す例示図であって、特に、４つのゲート信号を用いる有機発光ダイオード表示装置を説明している。
図１０は、本発明の第３の実施例による有機発光ダイオード表示装置に適用される多様な波形を示す例示図であって、４つのゲート信号を用いる有機発光ダイオード表示装置を説明しており、特に、４つの入力信号が同一である場合を示す。
すなわち、図９の波形は４つの入力信号が互いに異なる場合を示し、図１０の波形は４つの入力信号が互いに同一な場合を示す。
以下では、図５ないし図７を通じて説明した内容と重複する内容は簡単に説明するか省略する。
【００６０】
まず、図８及び図９に示す本発明の第２の実施例は、４つのゲート信号がそれぞれのピクセルに出力されている有機発光ダイオード表示装置に関し、ゲート駆動部のそれぞれのステージ２１０は、図８に示すように、４つのゲート信号を生成して出力している。
【００６１】
特に、図９に示す波形図は、４つの入力信号ＧＳＰ、ＡＳＰ、ＢＳＰ、ＣＳＰが互いに異なる形態及び周期で入力される場合に出力される４つのゲート信号Ｘ１、Ｘ２、Ｘ３、Ｘ４を示す。
【００６２】
ここで、第１のゲート信号Ｘ１は、ハイレベルの第１の選択信号ＳＥＬ＝Ｈに応じて、第１の入力信号ＧＳＰがゲートシフトクロックＧＳＣの立ち上がり時点で同期して出力される信号であり、第２のゲート信号Ｘ２は、ハイレベルの第２の選択信号ＳＥＬ＝Ｈに応じて、第２の入力信号ＡＳＰがゲートシフトクロックＧＳＣの立ち上がり時点で同期して出力される信号であり、第３のゲート信号Ｘ３は、ローレベルの第３の選択信号ＳＥＬ＝Ｌに応じて、第３の入力信号ＢＳＰがゲートシフトクロックの立ち下り時点で同期して出力される信号であり、第４のゲート信号Ｘ４は、ローレベルの第４の選択信号ＳＥＬ＝Ｌに応じて、第４の入力信号ＣＳＰがゲートシフトクロックの立ち下り時点で同期して出力される信号である。
【００６３】
また、第５のゲート信号Ｘ５ないし第８のゲート信号Ｘ８は他のステージから出力され、第１のゲート信号Ｘ１ないし第４のゲート信号Ｘ４が出力される水平ラインとは別の水平ラインに形成されたピクセルに出力されるゲート信号であって、第１のゲート信号ないし第４のゲート信号の各々と、ゲートシフトクロックの１周期に相当する時間間隔を有して出力されていることが分かる。
【００６４】
次に、図１０に示す本発明の第３の実施例は、第２の実施例と同様に、４つのゲート信号がそれぞれのピクセルに出力されている有機発光ダイオード表示装置に関し、ゲート駆動部のそれぞれのステージ２１０は、４つのゲート信号を生成して出力している。
【００６５】
但し、図１０に示す本発明の第３の実施例では、第１の入力信号ないし第４の入力信号ＧＳＰ、ＡＳＰ、ＢＳＰ、ＣＳＰが何れも同じ形態でステージに入力されている。
また、第１のゲート信号Ｘ１と第４のゲート信号Ｘ４は、ハイレベルに設定された第１の選択信号ＳＥＬ１＝Ｈ 及び第４の選択信号ＳＥＬ4＝Ｈ に応じて全てゲートシフトクロックＧＳＣの立ち上がり時点で同期して出力されている。よって、第１のゲート信号Ｘ１と第４のゲート信号Ｘ４は１つの波形で示されている。
【００６６】
同様に、第１の入力信号ないし第４の入力信号が何れも同じ形態でステージに入力されており、第２のゲート信号Ｘ２と第３のゲート信号Ｘ３はローレベルに設定された第２の選択信号ＳＥＬ２＝Ｌ及び第３の選択信号ＳＥＬ3＝Ｌに応じて全てゲートシフトクロックの立ち下り時点で同期して出力されているため、第２のゲート信号Ｘ２と第３のゲート信号Ｘ３は１つの波形で示されている。
【００６７】
以下では、上記のような本発明の特徴を簡単に説明する。
【００６８】
上記のような本発明において、ゲート信号は互いに独立的に制御されており、それぞれのゲート信号ゲート信号は、それぞれの入力信号をどのような形態で与えるかによってその形態が変化され得る。
【００６９】
例えば、図９は、ゲート信号が４つである場合であって、ゲート信号の個数はピクセルＰｉｘｅｌ  １１０の構造によって変わる。
【００７０】
すなわち、有機発光ダイオード表示装置の補償方法によってピクセルの構造が変わるようになり、ピクセルの構造が複雑になるに従ってゲート信号の数も多くなる。しかし、トランジスタの個数とゲート信号の個数は必ずしも一致するとは限らない。
【００７１】
図９を参照して詳しく説明すると、図９では４つのゲート信号が存在しているため、ステージからの出力も４つの単位で動作する。第１の入力信号ＧＳＰの場合、第１のゲート信号Ｘ１、第５のゲート信号Ｘ５、第９のゲート信号Ｘ９として出力され、第２の入力信号ＡＳＰの場合、第２のゲート信号Ｘ２、第６のゲート信号Ｘ６、第１０のゲート信号Ｘ１０として出力され、第３の入力信号ＢＳＰ及び第４の入力信号ＣＳＰの場合にも同じ方法で出力される。
【００７２】
また、第１の入力信号ＧＳＰの第１の選択信号がハイレベルである場合ＳＥＬ＝Ｈ、第１のゲート信号、第５のゲート信号、及び第９のゲート信号Ｘ１、Ｘ５、Ｘ９はゲートシフトクロックＧＳＣの立ち上がり時点で順次出力され、第２の選択信号ないし第３の選択信号ＡＳＰ、ＢＳＰ、ＣＳＰの場合にも、これと同様に駆動される。
【００７３】
従って、本発明によると、図９に示す第２のゲート信号Ｘ２及び第３のゲート信号Ｘ３と同様に、隣接したチャンネル間の少なくとも１/２クロック単位(ゲートシフトクロックの１/２周期)で動作できるようになる。
【００７４】
また、本発明は、４つのゲート信号を適用する構造のみならず、２つ以上のゲート信号が必要な場合にも、選択信号を通じてゲート信号の間隔が少なくとも１/２クロック単位で制御され得る。
【００７５】
本発明に属する技術分野における当業者には、本発明がその技術的思想や必須の特徴を変更せず他の具体的な形態に実施できるということが理解されるであろう。
したがって、以上に記述した実施例はいずれの面においても例示的なもので、限定的なものとして解釈してはならない。
本発明の範囲は、上記の詳細な説明に限定されず、添付の特許請求の範囲によって定められ、よって、特許請求の範囲及びその同等範囲から導出される変更または変形はいずれも、本発明の範囲に含まれるものと理解すべきである。
【符号の説明】
【００７６】
１００    パネル
２００    ゲート駆動部
３００    データ駆動部
４００    タイミングコントローラー
２１０    ステージ
２２０    インバーターユニット
２３０    選択部
【図１】
0005616483.tif 000002
【図２】
0005616483.tif 000003
【図３】
0005616483.tif 000004
【図４】
0005616483.tif 000005
【図５】
0005616483.tif 000006
【図６】
0005616483.tif 000007
【図７】
0005616483.tif 000008
【図８】
0005616483.tif 000009
【図９】
0005616483.tif 000010
【図１０】
0005616483.tif 000011